(57)【要約】  【課題】  剛性を高めることができ、操作性及び耐久性に優れたスライド式スクリーンを提供する。  【解決手段】  レール１０に沿って走行自在に支持部材１４が吊下げられ、該支持部材１４の下端にスクリーン１６が配置され、スクリーン１６がレール長手方向に移動自在となっており、スクリーン１６の少なくとも一対の頂点を結ぶ対角線に渡ってバー材１８が架設され、バー材１８がスクリーン１６を緊張状態に保持している。【選択図】  図１
2005253617.tif 000002
【特許請求の範囲】
【請求項１】
レールに沿って走行自在に支持部材が吊下げられ、該支持部材の下端にスクリーンが連結され、スクリーンがレール長手方向に移動自在となるようにしたスライド式スクリーンであって、
スクリーンの少なくとも一対の頂点を結ぶ対角線に渡ってバー材が架設され、バー材がスクリーンを緊張状態に保持することを特徴とするスライド式スクリーン。
【請求項２】
スクリーンの一方の面には、一対の頂点を結ぶ対角線に渡ってバー材が架設され、スクリーンの他方の面には、一方の面とは異なる一対の頂点を結ぶ対角線に渡ってバー材が架設されることを特徴とする請求項１記載のスライド式スクリーン。
【請求項３】
バー材はスクリーンに対して着脱可能で且つ伸縮可能であることを特徴とする請求項１または２記載のスライド式スクリーン。
【請求項４】
スクリーンの角部には、開口が形成されており、該開口にバー材の端部が挿入可能となっていることを特徴とする請求項１ないし３のいずれか１項に記載のスライド式スクリーン。
【請求項５】
レールには複数の支持部材が吊下げられており、少なくとも一対の隣り合う支持部材の隣接する端部には係合部材がそれぞれ設けられ、該係合部材は該隣り合う支持部材の隣接する端部に設けられた係合部材と互いに係合可能であることを特徴とする請求項１ないし４のいずれか１項に記載のスライド式スクリーン。
【発明の詳細な説明】
【技術分野】
【０００１】
本発明は、スクリーンがレール長手方向に移動自在となるようにしたスライド式スクリーンに関する。
【背景技術】
【０００２】
従来、この種のスライド式スクリーンとしては、実公平４−５１６５３号公報に記載されたものが知られている。これによれば、複数のカーテン区分をカーテンレールに沿って移動自在に並列に懸吊しており、それぞれのカーテン区分の上縁部に１枚のカーテン区分あたり２個ずつ取付けた吊支部材を、各カーテン区分の２個の吊支部材の間に隣のカーテン区分の一方の吊支部材が介在する配列様式で単一のカーテンレールに備付けている。
【０００３】
しかしながら、上記公報に記載されたようなスライド式スクリーンでは、カーテン区分が柔軟な樹脂シートからなるために、剛性が小さく、ヨレが発生しやすいという問題がある。また、カーテン区分の移動操作をする際には、カーテン区分を直接手で持って行わなければならないため、ヨレや破損の発生の可能性が高く、さらには汚れやすいという問題がある。
【０００４】
【特許文献１】実公平４−５１６５３号公報
【発明の開示】
【発明が解決しようとする課題】
【０００５】
本発明はかかる課題に鑑みなされたもので、剛性を高めることができ、操作性及び耐久性に優れたスライド式スクリーンを提供することをその目的とする。さらなる目的は、解体・収納を簡単に行うことができるスライド式スクリーンを提供することである。
【課題を解決するための手段】
【０００６】
前述した目的を達成するために、請求項１記載の発明は、レールに沿って走行自在に支持部材が吊下げられ、該支持部材の下端にスクリーンが連結され、スクリーンがレール長手方向に移動自在となるようにしたスライド式スクリーンであって、
スクリーンの少なくとも一対の頂点を結ぶ対角線に渡ってバー材が架設され、バー材がスクリーンを緊張状態に保持することを特徴とする。
【０００７】
請求項２記載の発明は、請求項１記載のものにおいて、スクリーンの一方の面には、一対の頂点を結ぶ対角線に渡ってバー材が架設され、スクリーンの他方の面には、一方の面とは異なる一対の頂点を結ぶ対角線に渡ってバー材が架設されることを特徴とする。
【０００８】
請求項３記載の発明は、請求項１または２記載のものにおいて、バー材はスクリーンに対して着脱可能で且つ伸縮可能であることを特徴とする。
【０００９】
請求項４記載の発明は、請求項１ないし３のいずれか１項に記載のものにおいて、スクリーンの角部には、開口が形成されており、該開口にバー材の端部が挿入可能となっていることを特徴とする。
【００１０】
請求項５記載の発明は、請求項１ないし４のいずれか１項に記載のものにおいて、レールには複数の支持部材が吊下げられており、少なくとも一対の隣り合う支持部材の隣接する端部には係合部材がそれぞれ設けられ、該係合部材は該隣り合う支持部材の隣接する端部に設けられた係合部材と互いに係合可能であることを特徴とする。
【発明の効果】
【００１１】
本発明によれば、スクリーンの一対の頂点を結ぶ対角線に渡ってバー材が架設されるために、スクリーンの剛性を高めることができ、ヨレの発生を抑えることができる。また、スクリーンをレールに沿って移動させるときには、バー材を持って操作することができるため、スクリーンの汚れ、破損を防ぐことができる。こうしてスクリーンの操作性及び耐久性を向上させることができる。
【００１２】
請求項２記載の発明によれば、バー材をスクリーンの両面にそれぞれ設けることにより、より剛性を高めることができる。
【００１３】
請求項３記載の発明によれば、スクリーンの長さが様々なものであっても、バー材を伸縮させることにより、スクリーンの長さにバー材の長さを適合させることができ、スクリーンを緊張状態に保持することができる。
【００１４】
請求項４記載の発明によれば、バー材を開口から取り外すことにより、簡単にスクリーンとバー材を解体することができる。
【００１５】
請求項５記載の発明によれば、係合部材によって隣り合う支持部材同士を拘束するために、隣り合うスクリーン間に形成される隙間を小さくして、スクリーンによって空間の仕切りまたは遮蔽を行わせることができる。
【発明を実施するための最良の形態】
【００１６】
以下、図面を用いて本発明の実施の形態を説明する。
【００１７】
図１は本発明の実施形態にかかるスライド式スクリーンの全体斜視図である。
【００１８】
図において、１０は壁枠、天井面、壁面、窓枠等の固定部に固定されるレールであり、該レール１０に沿ってランナ１２が走行可能となっている。ランナ１２の下部は、レール１０から垂下して、その下端部には支持板材１４が吊り下げられている。支持板材１４は、図２に示したように、長手方向に伸びる細長の一対の板部１４ａ、１４ａを有している。この板部１４ａ、１４ａは折れ曲がり自在に結合されており、その内部の対向する部分に設けられた凹部１４ｂと凸部１４ｃとが嵌まり合うことにより、一対の板部１４ａ、１４ａは重なり合うようになっている。
【００１９】
重なり合う一対の板部１４ａ、１４ａの間には、スクリーン１６の上端部が挟み付けられて、支持部材１４にスクリーン１６が結合される。スクリーン１６は、柔軟なシートとすることができ、例えば、合成樹脂シート、布シート等とすることができる。スクリーン１６の上端部は、前記凹部１４ｂと凸部１４ｃによって挟み込まれるのに適したように適宜開口１６ｂがあいていると良い。
【００２０】
また、スクリーン１６の各頂点付近には、それぞれ開口１６ａが形成されている。そして、該対角線上にある一対の開口１６ａに渡ってバー材（筋交い）１８が架設されている。バー材１８は、中空のパイプ等で形成することができ、その端部は、前記開口１６ａを通過することができる小径部１８ａとなっており、端部以外の中央部は、開口１６ａを通過することができない中径部１８ｂ及び大径部１８ｃとなっており、さらに、中径部１８ｂが大径部１８ｃ内に挿入可能となったテレスコピック式により伸縮可能となっている。中径部１８ｂと大径部１８ｃとの間には、その軸方向に沿って複数の係止手段１８ｄが設けられており、複数の係止手段１８ｄの中から適宜の係止手段１８ｄを選択することによって、中径部１８ｂの大径部１８ｃからの露出長さが調整可能となっており、スクリーン１６の一対の開口１６ａの間の長さに合わせて、バー材１８の全長長さが調整可能となっている。よって、バー材１８が開口１６ａの間に架設されると、スクリーン１６は緊張状態に保持される。
【００２１】
バー材１８は１つのスクリーン１６に対して１つとして、一対の開口１６ａのみに渡り設けることもできるが、好ましくは、１つのスクリーン１６に対して２つ設けるとよく、スクリーン１６の一方の面（表面）に沿って対角線上にある一対の開口１６ａに渡って一方のバー材１８が架設され、スクリーン１６の他方の面（裏面）に沿って対角線上にある別の一対の開口１６ａに渡って他方のバー材１８が架設される。
【００２２】
レール１０に複数のランナ１２を配設することができ、各ランナ１２から支持部材１４が吊り下げられており、よって複数のスクリーン１６が１つのレール１０から吊下げられている。
【００２３】
隣接する支持部材１４の一対の隣り合う端部には、係合部材２０が設けられており、該係合部材２０は、隣り合う支持部材１４の隣接する端部の係合部材２０と互いに係合可能となっており、隣接するスクリーン１６の支持部材１４の端部は係合部材２０によって拘束される。
【００２４】
隣接する支持部材１４の一対の隣り合う端部に設けられる係合部材２０の組み合わせとしては、磁石と磁石吸着体の組み合わせ、フックとフック受けの組み合わせ等の任意のものが可能であるが、好ましくは、スクリーン１６を引っ張ると、自然に係合が解かれるものが良い。係合部材２０の位置としては、支持部材１４の端側面に設けるとよいが（図３（ａ））、支持部材１４の端前面と端後面にそれぞれ設けてもよい（図３（ｂ））。
【００２５】
通常時には、隣り合うスクリーン１６は、係合部材２０、２０によって隣接するスクリーン１６の間に隙間ができず、空間の仕切りまたは遮蔽を行うことができる。
【００２６】
一方、スクリーン１６を移動させる場合には、必要に応じて係合部材２０を外し、スクリーン１６を持ってレール１０の長手方向に動かすと、ランナ１２がレール１０内を走行して、スクリーン１６が移動する。この操作の際に、スクリーン１６自体ではなく、バー材１８を持って操作することができるため、スクリーン１６の汚れ、破損を防ぐことができる。また、バー材１８によって剛性を持たせることができる。こうして、操作性、耐久性を向上させることができる。
【００２７】
次に、このスライド式スクリーンを収納したい場合には、ランナ１２をレール１０から取り外す。このために、レール１０の端部１０ａが本体から取り外し可能となっているとよい。この端部１０ａを取り外し、その端部１０ａが無くなった部分からランナ１２を取り外す。そして、ランナ１２、支持部材１４、スクリーン１６及びバー材１８をそれぞれ解体して、スクリーン１６を巻込み、バー材１８を収縮させると、図２に示すようにコンパクトに収めることができる。こうして、不必要なときには、収納しておくことができる。
【００２８】
スクリーン１６の長さを変える必要があるときには、バー材１８の長さを調整することで、常にスクリーン１６を緊張状態にすることができる。
【図面の簡単な説明】
【００２９】
【図１】本発明の実施形態にかかるスライド式スクリーンの全体斜視図である。
【図２】図１のスライド式スクリーンを解体した状態を表す図である。
【図３】支持部材と係合部材との関係を表す支持部材の平面図である。
【符号の説明】
【００３０】
１０  レール
１２  ランナ
１４  支持部材
１６  スクリーン
１８  バー材
２０  係合部材
【図１】
2005253617.tif 000003
【図２】
2005253617.tif 000004
【図３】
2005253617.tif 000005